(57)【要約】【目的】コンクリート打設時のスリーブの位置ズレが生じることがなく、床スラブ全厚に亘って同径の直径を有して段差の無いスラブ貫通孔を形成するスリーブを提供する。【構成】上面にコンクリートを打設して床スラブと成るプレキャストコンクリートに予め形成されている配管・配線用透孔に配設し、配管・配線用のスラブ貫通孔を形成するスリーブにおいて、前記スリーブが、筒状本体と該筒状本体の外周面に突出状態に設けられている複数の支持片とを有して成り、前記筒状本体が、プレキャストコンクリート及び打設コンクリートから成る床スラブの厚みと略等しい長さを有すると共に前記配管・配線用透孔の内径より小さな外径を有し、前記支持片が、前記プレキャストコンクリート上面位置に相当する筒状本体の位置に設けられると共に、前記プレキャストコンクリート上面の配管・配線用透孔の縁部に固定可能な構成を有する。【選択図】        図１
0003111021.tif 000002
【実用新案登録請求の範囲】
【請求項１】
上面にコンクリートを打設して床スラブと成るプレキャストコンクリートに予め形成されている配管・配線用透孔に配設し、配管・配線用のスラブ貫通孔を形成するスリーブにおいて、
前記スリーブが、筒状本体と該筒状本体の外周面に突出状態に設けられている複数の支持片とを有して成り、
前記筒状本体が、プレキャストコンクリート及び打設コンクリートから成る床スラブの厚みと略等しい長さを有すると共に前記配管・配線用透孔の内径より小さな外径を有し、
前記支持片が、前記プレキャストコンクリート上面位置に相当する筒状本体の位置に設けられると共に、前記プレキャストコンクリート上面の配管・配線用透孔の縁部に固定可能な構成を有することを特徴とするプレキャストコンクリート床用スリーブ。
【請求項２】
支持片が、固定具を用いてプレキャストコンクリート上面に固定するための透孔を有することを特徴とする請求項１に記載のプレキャストコンクリート床用スリーブ。
【請求項３】
筒状本体の上部に嵌合する蓋体を有することを特徴とする請求項１又は２に記載のプレキャストコンクリート床用スリーブ。
【考案の詳細な説明】
【技術分野】
【０００１】
本考案はプレキャストコンクリート床用スリーブに関し、詳しくはプレキャストコンクリート床に形成された配管・配線用透孔に配設されるスリーブに関する。
【背景技術】
【０００２】
近年、コンクリート建築物の床スラブの構築に際しては、工場等で予め成形して現場で組立てるプレキャストコンクリートを用い、施工現場において組立てられたプレキャストコンクリートの上に鉄筋等を配筋した後にコンクリート打設することが行われている。
【０００３】
コンクリート建築物の壁・梁・床の各躯体内部には、各種配管（空調用や上下水道管用等）や各種配線（配電線や光ケーブル等）を配設する必要があるため、プレキャストコンクリートには予め配管・配線用の透孔が形成されている。かかる配管・配線用透孔に、コンクリート打設の際にコンクリートが流れ込むのを防止するために、配管・配線用透孔にスリーブを配設することが行われている（特許文献１参照）。
【０００４】
【特許文献１】特開２００２−２９５００９号公報
【考案の開示】
【考案が解決しようとする課題】
【０００５】
特許文献１に記載の技術は、プレキャストコンクリートに予め形成されている配管・配線用透孔の上方に該透孔よりも大きな径を有するスリーブを固定するものである。
【０００６】
しかしこの技術では、スリーブ全体がプレキャストコンクリートの上に露出して固定されるため、コンクリート打設時にコンクリートの流し込みの勢いによってはスリーブの全体で流し込まれるコンクリートの勢いを受けてしまうため、固定が外れて傾いたり動いてしまう等の位置ズレが生じることがあった。
【０００７】
また、プレキャストコンクリートの上に打設されるコンクリート部分に形成される配管・配線用透孔はスリーブの直径となるため、完成後のスラブ貫通孔は、プレキャストコンクリート部分と打設コンクリート部分で異なる直径を有することになるので該スラブ貫通孔内部の両者の境界部分に段差が生じてしまい、配管・配線作業の際に前記段差に配管類や配線類が引っ掛かり易く作業性を低下させるという欠点を有している。
【０００８】
そこで本考案の課題は、コンクリート打設時のスリーブの位置ズレが生じることがなく、床スラブ全厚に亘って同径の直径を有して段差の無いスラブ貫通孔を形成することができるプレキャストコンクリート床用スリーブを提供することにある。
【課題を解決するための手段】
【０００９】
上記課題を解決する本考案は下記構成を有する。
【００１０】
１．上面にコンクリートを打設して床スラブと成るプレキャストコンクリートに予め形成されている配管・配線用透孔に配設し、配管・配線用のスラブ貫通孔を形成するスリーブにおいて、
前記スリーブが、筒状本体と該筒状本体の外周面に突出状態に設けられている複数の支持片とを有して成り、
前記筒状本体が、プレキャストコンクリート及び打設コンクリートから成る床スラブの厚みと略等しい長さを有すると共に前記配管・配線用透孔の内径より小さな外径を有し、
前記支持片が、前記プレキャストコンクリート上面位置に相当する筒状本体の位置に設けられると共に、前記プレキャストコンクリート上面の配管・配線用透孔の縁部に固定可能な構成を有することを特徴とするプレキャストコンクリート床用スリーブ。
【００１１】
２．支持片が、固定具を用いてプレキャストコンクリート上面に固定するための透孔を有することを特徴とする上記１に記載のプレキャストコンクリート床用スリーブ。
【００１２】
３．筒状本体の上部に嵌合する蓋体を有することを特徴とする上記１又は２に記載のプレキャストコンクリート床用スリーブ。
【考案の効果】
【００１３】
請求項１に示す考案によれば、コンクリート打設時のスリーブの位置ズレが生じることがなく、床スラブ全厚に亘って同径の直径を有して段差の無いスラブ貫通孔を形成することができるプレキャストコンクリート床用スリーブを提供することができる。
【００１４】
特にスリーブの筒状本体はプレキャストコンクリートの上にスリーブ全体が露出して固定されるのではなく、プレキャストコンクリートの配管・配線用透孔に該プレキャストコンクリートの厚み分だけ挿通された状態で固定されるので、コンクリート打設時に流し込まれるコンクリートの勢いを受けても位置ズレが生じることない。
【００１５】
また、打設コンクリート部分だけでなく、プレキャストコンクリートの配管・配線用透孔内にもスリーブの筒状本体は配設される構成、即ち、床スラブの全厚に亘ってスリーブの筒状本体が配設される構成により、完成後のスラブ貫通孔は、床スラブ全厚に亘って同径の直径を有して段差の無い配管・配線用透孔となる。従って、配管・配線作業の際に配管類や配線類が内部で引っ掛かることがなく作業性を低下させることがない。
【００１６】
請求項２に示す考案によれば、コンクリート釘等の固定具によってプレキャストコンクリート上面にスリーブを固定することができる。
【００１７】
請求項３に示す考案によれば、コンクリート打設時にスリーブの筒状本体内にコンクリートが流入するのを防止することができる。
【考案を実施するための最良の形態】
【００１８】
本考案に係るケーブルラック支持枠の詳細について、添付の図面に基づき説明する。
【００１９】
図１は本考案に係るプレキャストコンクリート床用スリーブの一実施例を示す斜視図、図２は図１の側面図、図３は施工状態（プレキャストコンクリートにスリーブを取付けた状態）の一例を示す断面図、図４は施工状態（コンクリートを打設した状態）の一例を示す断面図である。
【００２０】
本考案に係るプレキャストコンクリート床用スリーブ（以下、単にスリーブということもある。）１は、図４に示すように上面にコンクリート３を打設して床スラブ４と成るプレキャストコンクリート２に予め形成されている配管・配線用透孔２１に図３に示すように配設し、スラブ貫通孔４１を形成するものである。
【００２１】
スリーブ１は、図１及び図２に示すように、筒状本体１０と該筒状本体１０の外周面に突出状態に設けられている複数（本実施例では４つ）の支持片１１・１１・１１・１１とを有して成る。尚、図１及び図２に示す符号５は、コンクリート打設時にスリーブ１の筒状本体１０の上部を閉塞して該筒状本体１０内にコンクリートが流入するのを防止する蓋体であり、複数（本実施例では３つ）の嵌合脚部５１・５１・５１によりスリーブ１の筒状本体１０の上部に嵌合する。
【００２２】
筒状本体１０は、プレキャストコンクリート２及び打設コンクリート３から成る床スラブ４の厚みと略等しい長さを有すると共に前記配管・配線用透孔２１の内径より小さな外径を有する。即ち、図２に示す筒状本体１０の全体の長さであるｃ１は、図４に示す床スラブ４の厚みｃ２と略等しく、図２に示す筒状本体１０の直径であるｄは、図３に示すプレキャストコンクリート２の配管・配線用透孔２１の内径であるｆより小さい。
【００２３】
また、支持片１１・１１・１１・１１は、前記プレキャストコンクリート２の上面２０位置に相当する筒状本体１０の位置に設けられている。即ち、図２に示す筒状本体１０のａ１は、図３及び４に示すプレキャストコンクリート２の厚みであるａ２と略等しい。尚、依って、図２に示す筒状本体１０の支持片１１の位置より上の部分であるｂ１は、図４に示す打設コンクリート３の厚みであるｂ２と略等しいこととなる。
【００２４】
更に、支持片１１・１１・１１・１１は、前記プレキャストコンクリート上面２０の配管・配線用透孔２１の縁部に固定可能な構成を有する。支持片１１・１１・１１・１１は、前述したように、設けられている位置がプレキャストコンクリート上面２０位置に相当する筒状本体１０の位置であるため、図３に示すように筒状本体１０を配管・配線用透孔２１に配設すると、支持片１１・１１・１１・１１はプレキャストコンクリート上面２０の配管・配線用透孔２１の縁部に位置することになる。従って、支持片１１・１１・１１・１１を該縁部に固定することができる。固定は、該支持片１１・１１・１１・１１に形成されている透孔１２・１２・１２・１２を介して、コンクリート釘等の公知公用の固定具をプレキャストコンクリート上面２０に打ち込む等によって行われる。
【００２５】
上記構成を有する本考案に係るプレキャストコンクリート床用スリーブ１の施工の一例について説明すると、先ず、図３に示すようにプレキャストコンクリート２の配管・配線用透孔２１に配設し、上面２０に支持片１１・１１・１１・１１を固定する。
【００２６】
次に、図４に示すようにプレキャストコンクリート２の上にコンクリートを打設して打設コンクリート３を形成することで床スラブ４を構築することができる。床スラブ４の構築によって、該床スラブ４には、スラブ貫通孔４１を形成することができる。
【図面の簡単な説明】
【００２７】
【図１】本考案に係るプレキャストコンクリート床用スリーブの一実施例を示す斜視図
【図２】図１の側面図
【図３】施工状態（プレキャストコンクリートにスリーブを取付けた状態）の一例を示す断面図
【図４】施工状態（コンクリートを打設した状態）の一例を示す断面図
【符号の説明】
【００２８】
１  プレキャストコンクリート床用スリーブ
１０  筒状本体
１１  支持片
２  プレキャストコンクリート
２０  上面
２１  配管・配線用透孔
３  打設コンクリート
４  床スラブ
４１  スラブ貫通孔
５  蓋体
５１  嵌合脚部
【図１】
0003111021.tif 000003
【図２】
0003111021.tif 000004
【図３】
0003111021.tif 000005
【図４】
0003111021.tif 000006